(57)【要約】【課題】  作業者にとって、組み立て中に化粧パネルが正規姿勢で貼着されようとしているか否かを容易に判別することができ、組み立て後に化粧パネルが正規姿勢になっているか否かを容易に判別することのできるディスク装置のトレイドアを提供する。【解決手段】  ベース板部１１と化粧パネル１５とを有する。ベース板部１１の表面の中央位置Ｃ１に対する偏り箇所に覗き窓１２を開設する。化粧パネル１５の裏面に、化粧パネル１５を正規姿勢でベース板部１１に重ね合わせたときに、覗き窓１２に臨むマークＭを付加する。化粧パネル１５の裏面の全体を黒色に、マークＭを白色に着色する。ベース板部１１を黒色の樹脂で成形する。【選択図】        図１
2010272194.tif 000002
【特許請求の範囲】
【請求項１】
記録媒体としてのディスクを搬入出するためのディスクトレイが出退される開口窓を備えたディスク装置の上記開口窓を開閉するトレイドアにおいて、
平板状のベース板部と、このベース板部の表面に重ね合わされてそのベース板部を装飾する化粧パネルと、を有し、
上記ベース板部の表面の中央位置に対する偏り箇所に、このベース板部を貫通する開口でなる覗き窓が開設されているのに対し、上記ベース板部の表面に重ね合わされる上記化粧パネルの裏面に、この化粧パネルの裏面を正規姿勢で上記ベース板部の表面に重ね合わせたときに上記覗き窓に臨むマークが付加され、そのマークが化粧パネルの裏面とは異なる色に着色されていることを特徴とするディスク装置のトレイドア。
【請求項２】
上記ベース板部の表面と上記化粧パネルの裏面とが同一サイズの横長矩形に形作られている請求項１に記載したディスク装置のトレイドア。
【請求項３】
上記化粧パネルの裏面の全体が一色に着色され、かつ、上記マークと上記ベース板部の覗き窓とが略同一直径の円形に形成されている請求項１又は請求項２に記載したディスク装置のトレイドア。
【請求項４】
上記化粧パネルの裏面が黒色に、上記マークが白色に、それぞれ着色されていると共に、上記ベース板部が黒色の樹脂で成形されている請求項１ないし請求項３のいずれか１項に記載したディスク装置のトレイドア。
【発明の詳細な説明】
【技術分野】
【０００１】
本発明はディスク装置のトレイドア、特に、記録媒体としてのディスクを搬入出するためのディスクトレイが出退される開口窓を備えたディスク装置の上記開口窓を開閉するトレイドアに関する。
【背景技術】
【０００２】
図５は、この種のトレイドア１０を有するディスク装置の要部を示した縦断面図である。同図に例示されているトレイドア１０は、ディスク装置の筐体を形成しているフロントパネル２０に設けられている。さらに詳しくは、開口窓２１を備えたフロントパネル２０の裏側にヒンジ機構２２を介してアーム２３が取り付けられ、そのアーム２３の先端に上記トレイドア１０が設けられている。アーム２３は、上記ヒンジ機構２２に装備されているばね体２４によって、開口窓２１の内側に引き込まれる方向に常時弾発付勢されている。
【０００３】
このディスク装置ではＣＤ、ＤＶＤ、ＢＤなどの記録媒体としてのディスク（不図示）が取り扱われる。すなわち、ディスク装置に備わっているディスクトレイ３１が矢印Ｒで示した前後方向に出退動作を行うようになっていて、そのようなディスクトレイ３１の出退動作を介し、ディスクトレイ３１に載架されたディスク（不図示）がディスク装置の内外間で搬入出されるようになっている。また、ディスクトレイ３１が筐体の内部から開口窓２１を通して突出する動作に連動して、トレイドア１０が矢印Ｏのように前方に倒れ込んで開口窓２１を開き、ディスクトレイ３１が開口窓２１の外側から開口窓２１を通して筐体の内部に引き込まれる動作に連動して、トレイドア１０が上記ばね体２４の作用により矢印Ｃのように起立してトレイドア１０が開口窓２１を塞ぐようになっている。
【０００４】
この種のディスク装置では、トレイドア１０の外観の良否が、ディスク装置全体のデザインや外観品位の良否に大きな影響を及ぼすことが判っている。そのような理由から、トレイドア１０の外観品位を高めることなどを意図して、トレイドア１０を、アーム２３の先端に樹脂で一体成形された平板状のベース板部とそのベース板部に重ね合わされる化粧パネルとの組み合わせでなる複合板によって構成することが多々行われている。そして、そのような複合板をトレイドア１０に採用することにより、たとえば図６に示したように、トレイドア１０の表面に所定の文字や図柄Ｌなどを浮き上がらせて表示することが可能になる。
【０００５】
このようなトレイドア１０において、樹脂成形体でなるベース板部とこのベース板部に重ね合わされた化粧パネルとを有する正面視矩形又は正面視略矩形の横長の複合板によって構成されているものでは、たとえば、化粧パネルの上下の両端縁のうち一方側の端縁だけに装飾用の傾斜面を備えていることがある。また、化粧パネルに透明な樹脂板が用いられていて、その樹脂板の裏面に上記した文字や図柄Ｌが印刷されていたり背景色が印刷されていたりすることがある。
【０００６】
図７は複合板を用いて製作された従来例によるトレイドア１０の概略分解側面図である。同図によって判るように、トレイドア１０は、上記アーム２３の先端に樹脂で一体に成形された平板状のベース板部１１と、このベース板部１１と同等の横幅及び縦幅を有する平板状の化粧パネル１５と、を重ね合わせて貼着することによって形成される正面視矩形又は正面視略矩形の横長の複合板でなる。
【０００７】
このような横長の複合板でなる従来例のトレイドア１０において、ベース板部１１の表面と化粧パネル１５の裏面との重なり面Ｓは、図示のようにトレイドア１０としての複合板の厚さ方向Ｔに対して垂直な平坦面を形成している。また、ベース板部１１に貼着される化粧パネル１５において、その裏面に、上記したような装飾用の傾斜面が備わっていたり、文字や図柄Ｌが印刷されていたりして、外観形状やデザインが縦幅方向（上下方向）又は横幅方向（左右方向）で非対称になっている化粧パネル１５では、当該化粧パネル１５の縦幅方向や横幅方向を逆にしてベース板部１１に貼着してしまうという事態は、量産化されている組立工程の段階で回避される必要がある。なお、図６及び図７において、符号Ｗはトレイドア１０としての複合板の長手方向、符号Ｈはトレイドア１０としての複合板の縦幅方向をそれぞれ示している。
【０００８】
一方、ディスクプレーヤにおいて、トレイパネルをディスク挿入口内の所定位置に自動的に位置決めする手段として、トレイパネルの両端部に位置決めピンを設けておき、トレイバネルを閉じたときにその位置決めピンがディスク挿入口の両端壁部に設けた位置決め孔に挿入されるようにすることが知られている（たとえば、特許文献１参照）。また、ボックスとカバーの誤組み付け防止構造には、ボックス側の係止突起とカバー側のロック部とを組み合わせる構成を採用したものである（たとえば、特許文献２、特許文献３参照）。
【先行技術文献】
【特許文献】
【０００９】
【特許文献１】特開２００５−１１６０００号公報
【特許文献２】特開平６−２８３８７０号公報
【特許文献３】特開２００８−１４７５１７号公報
【発明の概要】
【発明が解決しようとする課題】
【００１０】
しかしながら、図７を参照して説明した従来例によるトレイドア１０のように、ベース板部１１と化粧パネル１５との重なり面Ｓがトレイドア１０としての複合板の厚さ方向Ｔに対して垂直な平坦面を形成していると、組立工程の段階で、作業者が、化粧パネル１５の縦幅方向や横幅方向を正規の方向とは逆向きにしてベース板部１１に貼着してしまうという事態の生じることが多々起こっていた。その上、トレイドア１０の表面に文字や図柄Ｌが表示されていないものでは、化粧パネル１５がたとえベース板部１１に逆向きに貼着されてしまったとしても、そのことを外観で判断することが容易でない、という問題があった。
【００１１】
そこで、特許文献１に見られるように、化粧パネルに設けた位置決めピンをベース板部に設けた位置決め孔に挿入するという対策を講じることによって、化粧パネルを正規姿勢にしてベース板部に貼着するということが考えられる。しかし、そのようにすると、化粧パネルが、裏面から突出した細い位置決めピンを有する構成を備えることになるので、化粧パネルの製作コストが高くついたり、化粧パネルの取り扱い中に位置決めピンが折損してしまうという事態も考えられる。また、特許文献２、３に見られるように、係止突起とロック部とを組み合わせた構成を利用することについても、化粧パネルやベース板部の製作コストが高くついたり、それらの構成が複雑になったりするという顕著な不利益が生じる。
【００１２】
本発明は、以上の問題に鑑みてなされたものである。すなわち、本発明は、べース板部に貼着すべき化粧パネルの姿勢（向き）を注意深く観察することを作業者に強いることが好ましくないような、量産化されている組立工程の中において、ベース板部や化粧パネルに突起物を付加することを必要とせずに、作業者にとって、化粧パネルが正規姿勢で貼着されようとしているか否かを容易に判別することができるだけでなく、ベース板部に貼着された後の化粧パネルが正規姿勢になっているか否かをも容易に判別することのできるディスク装置のトレイドアを提供することを目的とする。
【課題を解決するための手段】
【００１３】
本発明に係るディスク装置のトレイドアは、記録媒体としてのディスクを搬入出するためのディスクトレイが出退される開口窓を備えたディスク装置の上記開口窓を開閉するトレイドアにおいて、平板状のベース板部と、このベース板部の表面に重ね合わされてそのベース板部を装飾する化粧パネルと、を有し、上記ベース板部の表面の中央位置に対する偏り箇所に、このベース板部を貫通する開口でなる覗き窓が開設されているのに対し、上記ベース板部の表面に重ね合わされる上記化粧パネルの裏面に、この化粧パネルの裏面を正規姿勢で上記ベース板部の表面に重ね合わせたときに上記覗き窓に臨むマークが付加され、そのマークが化粧パネルの裏面とは異なる色に着色されている。
【００１４】
この構成であると、ベース板部を貫通する開口でなる覗き窓が、そのベース板部の表面の中央位置に対する偏り箇所に設けられているのに対し、化粧パネルの裏面に、この化粧パネルの裏面を正規姿勢で上記ベース板部の表面に重ね合わせたときに上記覗き窓に臨むマークが付加されているので、量産化されている組立工程の中において、作業者は、ベース板部側の覗き窓の位置と、化粧パネル側のマークの位置とを見比べた上で、それらの覗き窓とマークの位置とが同じ位置になるように化粧パネルの姿勢を整えるという作業を行うだけで、化粧パネルを正規姿勢にしてベース板部に重ね合わせることが容易に可能である。また、ベース板部に重ね合わされた化粧パネルが正規姿勢になっているときには、ベース板部の裏面側から覗き窓を通して化粧パネルのマークを見ることができるのに対し、ベース板部に重ね合わされた化粧パネルが正規姿勢になっていないときには、化粧パネルのマークがベース板部によって覆われてしまうために、ベース板部の裏面側から覗き窓を通して化粧パネルのマークを見ることができない。このことを利用することにより、化粧パネルが正規姿勢でベース板部に重ね合わされているか否かを容易に判別することが可能である。
【００１５】
その上、本発明では、化粧パネル側のマークが化粧パネルの裏面とは異なる色に着色されているので、作業者にとっては、化粧パネルの裏面のマークの位置を識別しやすくなり、そのことが、上記した化粧パネルの姿勢を整えるという作業を容易にすることに役立つ。
【００１６】
本発明では、上記ベース板部の表面と上記化粧パネルの裏面とが同一サイズの横長矩形に形作られていることが望ましい。この発明によると、作業者にとって、ベース板部に化粧パネルを重ね合わせてそれらの外輪郭を合わせた後、覗き窓を通して化粧パネルの裏面を見るだけで、覗き窓にマークが臨んでいるか否かを容易に判別することが可能である。
【００１７】
本発明では、上記化粧パネルの裏面の全体が一色に着色され、かつ、上記マークと上記ベース板部の覗き窓とが略同一直径の円形に形成されている、という構成を採用することが可能である。この構成であると、化粧パネルの裏面にマークを印刷しやすく、かつ、ベース板部に覗き窓を開設しやすい。
【００１８】
本発明では、上記化粧パネルの裏面が黒色に、上記マークが白色に、それぞれ着色されていると共に、上記ベース板部が黒色の樹脂で成形されていることが望ましい。この構成であると、化粧パネルの裏面でのマークの位置を色の識別によって容易に知ることが可能になる。また、ベース板部の覗き窓を通して化粧パネルのマークを見たときに、化粧パネルが正規姿勢で重ね合わされているときには、白色のマークが覗き窓を通して明瞭に視認されることになるという作用が奏される。
【発明の効果】
【００１９】
以上のように、本発明によると、量産化されている組立工程の中において、作業者は、マークの色を識別要素として化粧パネルの姿勢を整えた後、その化粧パネルを正規姿勢で正確にベース板部に重ね合わせることが可能になる。したがって、化粧パネルが正規でない姿勢でベース板部に重ね合わされて不良品を発生するという事態が抑制され、それだけ生産性が向上するという効果が奏される。
【００２０】
また、組立後には、ベース板部の裏面側から覗き窓を通して化粧パネルのマークが見えるか否かを確認するだけで、ベース板部に重ね合わされた化粧パネルが正規姿勢になっているか否かを容易に判別することが可能になるという効果が奏される。
【００２１】
さらに、化粧パネル側のマークが化粧パネルの裏面とは異なる色に着色されていることにより、作業者にとっては、化粧パネルの裏面のマークの位置を識別しやすくなり、そのことが、上記した化粧パネルの姿勢を整えるという作業を容易にすることに役立つ。
【図面の簡単な説明】
【００２２】
【図１】本発明の実施形態に係るトレイドアが正しく組み立てられた状態の背面図である。
【図２】正規姿勢の化粧パネルとベース板部とを示した分解斜視図である。
【図３】トレイドアが正しく組み立てられていない状態の背面図である。
【図４】正規の姿勢でない化粧パネルとベース板部とを示した分解斜視図である。
【図５】トレイドアを有するディスク装置の要部を示した縦断面図である
【図６】複合板によって構成されたトレイドアの背面図である。
【図７】従来例によるトレイドアの概略分解側面図である。
【発明を実施するための形態】
【００２３】
図１は本発明の実施形態に係るトレイドア１０が正しく組み立てられた状態の背面図、図２は正規姿勢の化粧パネル１５とベース板部１１とを示した分解斜視図、図３はトレイドア１０が正しく組み立てられていない状態の背面図、図４は正規の姿勢でない化粧パネル１５とベース板部１１とを示した分解斜視図である。
【００２４】
図２又は図４のように、この実施形態のトレイドア１０は、正面視において横長略矩形の平板状のベース板部１１と、正面視において横長略矩形の平板状の化粧パネル１５と、を有していて、ベース板部１１の表面に化粧パネル１５の裏面を重ね合わせて貼着することによって構成されるようになっている。
【００２５】
図１や図３に示したように、べース板部１１はアーム２３の先端に樹脂で一体に成形されている。そして、図５を参照して説明したところと同様に、開口窓２１を備えたフロントパネル２０の裏側にヒンジ機構２２を介してアーム２３が取り付けられる。また、アーム２３は、ヒンジ機構２２に装備されているばね体２４によって、開口窓２１の内側に引き込まれる方向に常時弾発付勢される。トレイドア１０の開閉動作も図５を参照して説明したところと同様であるので、説明の重複を避けるためにその詳細説明を省略する。
【００２６】
図２又は図４のように、ベース板部１１の表面の中央位置Ｃ１に対する偏り箇所、図例では、ベース板部１１の横方向の一端上部に、ベース板部１１を貫通する開口でなる円形の覗き窓１２が開設されている。これに対し、化粧パネル１５の裏面には、上記覗き窓１２と略同一直径の円形のマークＭが付加されている。化粧パネル１５の裏面に付加されているマークＭは、化粧パネル１５の裏面を正規姿勢にしてベース板部１１の表面に重ね合わせてそれらの外輪郭線を合わせたときに、マークＭが覗き窓１２に同心状に臨む箇所に位置している。具体的には、上下及び左右の向きを正しく配置した化粧パネル１５の裏面の中央位置Ｃ２に対する偏り箇所であって、化粧板部１５の横方向の一端上部である。
【００２７】
この実施形態において、化粧パネル１５は、その上下の両端縁のうち一方側の端縁だけに装飾用の傾斜面１６が備わっている。そして、当該化粧パネル１５の正規姿勢では、図２のように傾斜面１６が化粧パネル１５の上部に位置する。これに対し、当該化粧パネル１５の上下の向きや左右の向きが正規姿勢とは逆向きになっている誤姿勢では、図４のように傾斜面１６が化粧パネル１５の下部に位置する。
【００２８】
トレイドア１０を構成するベース板部１１と化粧パネル１５とが上記の構成を有していると、組立工程が量産化されていて、化粧パネル１５が正規姿勢になっているか否かを判別しにくいような状況下においても、作業者は、ベース板部１１側の覗き窓１２の位置と、化粧パネル１５側のマークＭの位置とを見比べた上で、図２のようにそれらの覗き窓１２とマークＭの位置とが同じ位置になるように化粧パネル１５の姿勢を整えるという作業を行うだけで、化粧パネル１５を正規姿勢にしてベース板部１１に容易に重ね合わせることが可能である。なお、化粧板部１５は粘着剤を介してベース板部１１に貼着される。
【００２９】
また、化粧パネル１５を正規姿勢でベース板部１１に重ね合わせてトレイドア１０を組み立てた後では、図１に示したように、ベース板部１１の裏面側から覗き窓１２を通して化粧パネル１５のマークＭを見ることができる。したがって、作業者にとっては、覗き窓１２を通して化粧パネル１５のマークＭが見えれば、化粧パネル１５の向きに誤りがないことを容易に確認することができる。
【００３０】
一方、化粧パネル１５の上下の向きや左右の向きが正規姿勢とは逆向きになっている誤姿勢では、図４のように傾斜面１６が化粧パネル１５の下部に位置していて、ベース板部１１の覗き窓１２の存在しない箇所にマークＭが対応している。この状況下でも、何らかの理由で作業者がそのまま化粧パネル１５の裏面をベース板部１１の表面に重ね合わせてしまうという事態も起こり得る。しかし、この場合には、ベース板部１１に重ね合わされた化粧パネル１５が正規姿勢になっていないので、図３に示したように、化粧パネル１５のマークＭがベース板部１１によって覆われてしまう。そのため、ベース板部１１の裏面側から覗き窓１２を通して化粧パネルのマークＭが見えなくなる。したがって、作業者は、化粧パネル１５が正規姿勢でベース板部に重ね合わされていないことを容易に確認することができる。
【００３１】
この実施形態において、化粧パネル１５側のマークＭは、化粧パネル１５の裏面とは異なる色に着色されている。具体的には、化粧パネル１５の裏面の全体が遮光性を発揮するインクを用いて黒色一色に着色されていて、その上に、マークＭが白色で印刷されている。さらに、ベース板部１１が黒色の樹脂で成形されている。このため、マークＭが目立って、化粧パネル１５の裏面でのマークＭの位置を色の識別によって容易に知ることが可能であり、また、ベース板部１１の覗き窓１２を通して化粧パネル１５のマークＭを見たときに、化粧パネル１５が正規姿勢で重ね合わされているときには、白色のマークＭが目立って、覗き窓１２を通してマークＭが明瞭に視認される。したがって、化粧パネル１５の裏面が黒色に、マークＭが白色に、それぞれ着色されていて、ベース板部１１が黒色の樹脂で成形されていることの実益がある。
【００３２】
図１〜図４を参照して説明した実施形態では、覗き窓１２やマークＭの形状が円形になっているけれども、この点は、それらの形状を四角などの多角形、その他の形状に変更することも可能である。また、フロントパネル２０に対するトレイドア１０の取付構造は図例に限定されない。
【００３３】
なお、図１〜図７では、説明の便宜上、同一又は相応する部分に同一符号を付してある。
【符号の説明】
【００３４】
１０  トレイドア
１１  ベース板部
１２  覗き窓
１５  化粧パネル
２１  開口窓
３１  ディスクトレイ
Ｍ  マーク
【図１】
2010272194.tif 000003
【図２】
2010272194.tif 000004
【図３】
2010272194.tif 000005
【図４】
2010272194.tif 000006
【図５】
2010272194.tif 000007
【図６】
2010272194.tif 000008
【図７】
2010272194.tif 000009